(57)【特許請求の範囲】
【請求項１】
上端に洗浄用の操作部を設け、下端を排水筒に連通させて洗浄水タンクの内部に設けたケーシングと、前記ケーシング内にあって前記排水筒に備えた弁座に着座する弁体とを備え、前記操作部を操作することによって前記弁体を上方向に駆動して開弁動作するロータンク排水弁において、
前記洗浄水タンクのタンク蓋に組み込まれた大洗浄用ボタン及び小洗浄用ボタンと、この大洗浄用ボタン及び小洗浄用ボタンのそれぞれに連結されたロッドとを備え、前記各ロッドに対向する位置にそれぞれ前記操作部が設けられており、
前記ケーシング上方には、アクチュエータ軸と、前記アクチュエータ軸に軸着され前記ロッドと干渉しないように配置された弓状の回転アームと、前記回転アームが正逆回転自在に動くようにアクチュエータ軸に駆動力を伝達するように配置された回転式アクチュエータと、からなる補助操作装置を備え、
前記回転式アクチュエータを駆動させて前記回転アームを一方向に回動したとき、前記大洗浄用ボタンと連結されたロッドと対向した操作部が前記回転アームの一方の先端によって操作され、前記回転アームを他方向に回動したとき、前記小洗浄用ボタンと連結されたロッドと対向した操作部が前記回転アームの他方の先端によって操作されることを特徴とするロータンク排水弁。
【請求項２】
前記回転式アクチュエータは、モータと、そのモータの回転を減速させてアクチュエータ軸に伝達する減速ギヤとを備えていることを特徴とする請求項１に記載のロータンク排水弁。
【発明の詳細な説明】
【０００１】
【発明の属する技術分野】
本発明は、便器の洗浄水タンクに備えられるロータンク排水弁に関する。
【０００２】
【従来の技術】
従来から便器の洗浄水タンクにはデュアル・フラッシュバルブ方式のロータンク排水弁が使用されている。このデュアル・フラッシュバルブ方式のロータンク排水弁は、洗浄水タンクの内部に組み込まれ小洗浄及び大洗浄のそれぞれの操作ボタンを洗浄水タンクの表面に配置したものである。
このようなデュアル・フラッシュバルブ方式のロータンク排水弁の例として、例えば米国特許明細書第５，６５７，４９４号や同じく米国特許明細書第６，０８１，９３８号に記載されたものがある。これらの明細書に記載のロータンク排水弁は、上端に操作部を設けるとともに、下端をタンク排水筒に連通させたケーシングと、下端部にフロートと弁体を持つインナースリーブを設けており、前記インナースリーブはオーバーフロー排水管を兼用しているのが特徴である。
また操作部の操作を考慮したロータンク排水弁としては、電磁弁を利用して筒内の弁体を持ち上げて排水動作をさせる、例えば特開昭５５−９２４３８号や同じく米国特許明細書第６，２６３，５１９号に記載されたもの、また他に空気圧を利用して管内の弁体を持ち上げて排水動作をさせる、例えば米国特許明細書第４，３０４，０１５号に記載された自動洗浄弁の例もある。
ほかにはスチール製のワイヤを使って遠隔操作するロータンク排水弁の例もある。
【０００３】
【発明が解決しようとする課題】
しかしながら、米国特許明細書第５，６５７，４９４号のような弁体を上下方向に動かして開弁および閉弁させる機構を持つロータンク排水弁では、その補助操作部をロータンク排水弁の上方に配置し、かつ前記補助操作部からロッドを介して連接するケーシング上端の操作部を設けているため、補助操作部を自由な方向、かつ任意の位置に配置することが困難であった。
【０００４】
一方、特開昭５５−９２４３８号などの遠隔操作を目指したロータンク排水弁では、電磁弁を駆動手段として利用する場合には、ロータンクに溜まった洗浄水のヘッドがかかっている弁体を操作するために大きな力を発生する必要がある。そのため、電磁弁によって駆動させるためには電磁弁自体を大きくする必要がある。そのため、ロータンク排水弁に比べて電磁弁が大きくなるため、電磁弁のロータンク排水弁への組み込みが難しく不安定になる。
また、洗浄水タンク内に収納できなかったりしてその実現も難しかった。特に電磁弁により上限に軸を可動させてその軸により弁体を開状態とするため、軸の上下に動かすストローク長を確保しなければならず、ロータンク内への取付けが困難となるのである。
【０００５】
また、このような電磁弁を用いた場合、この電磁弁が故障した場合に備え、予備手段として手動式の操作手段を設けておくことが望まれる。しかしながら、この電磁弁を用いた場合、電磁弁をロータンク排水弁の上端に取りつけることによって、容易に補助操作手段を組み込むことが困難であり、実現するためには構造が複雑になり、湿度の高いロータンク内においては操作不良の原因にもつながりかねない。
【０００６】
さらに、スチール製ワイヤなどを遠隔操作手段に利用したロータンク排水弁では、狭い洗浄水タンク内にロータンク排水弁を収納するため、ワイヤを無理やり曲げて組み付けたりすると、ワイヤのトルク伝達性能が大幅に低下して駆動することができなくなるため、なるべくワイヤを曲げないような位置にしか操作部を配置することができなかった。
【０００７】
そこで本発明は、ロータンク内に収納することができるコンパクトなロータンク排水弁を提供することにある。特に容易に小さな力で操作部を操作することができ、かつ、ロータンク排水弁の補助操作部を自由な方向かつ任意の位置に配置することができるロータンク排水弁を提供することにある。
さらに、コンパクトでしかも従来のロータンク排水弁にも後付けで簡単に装着ができるロータンク排水弁用操作装置を提供することを目的とする。
【０００８】
【課題を解決するための手段および作用・効果】
本発明の請求項１では、上端に洗浄用の操作部を設け、下端を排水筒に連通させて洗浄水タンクの内部に設けたケーシングと、前記ケーシング内にあって前記排水筒に備えた弁座に着座する弁体とを備え、前記操作部を操作することによって前記弁体を上方向に駆動して開弁動作するロータンク排水弁において、前記洗浄水タンクのタンク蓋に組み込まれた大洗浄用ボタン及び小洗浄用ボタンと、この大洗浄用ボタン及び小洗浄用ボタンのそれぞれに連結されたロッドとを備え、前記各ロッドに対向する位置にそれぞれ前記操作部が設けられており、前記ケーシング上方には、アクチュエータ軸と、前記アクチュエータ軸に軸着され前記ロッドと干渉しないように配置された弓状の回転アームと、前記回転アームが正逆回転自在に動くようにアクチュエータ軸に駆動力を伝達するように配置された回転式アクチュエータと、からなる補助操作装置を備え、前記回転式アクチュエータを駆動させて前記回転アームを一方向に回動したとき、前記大洗浄用ボタンと連結されたロッドと対向した操作部が前記回転アームの一方の先端によって操作され、前記回転アームを他方向に回動したとき、前記小洗浄用ボタンと連結されたロッドと対向した操作部が前記回転アームの他方の先端によって操作されることを特徴とするロータンク排水弁とした。
【０００９】
このように回転アームを利用して操作部を操作することにより、この回転アームの回転となるアクチュエータ軸よりも、回転アームの可動高さを低く抑えることができるそのため、補助操作装置全体の高さを低くすることができる。
したがって、タンク蓋とケーシングとの狭い隙間にこの補助操作装置を配置することができるのである。
なお、この操作部は下側に押されることで操作する場合でも、上側に引き上げられることで操作する場合でもよい。
【００１０】
また、従来技術（米国特許明細書第５，６５７，４９４号）のようにデュアルフラッシュバルブ方式のロータンク排水弁に取り付けた場合には、操作部に当接するロッドに干渉しないようにこの補助操作装置をケーシング上方に配置することができる。つまり、操作部を操作するのは回転アームであるので、この回転アームが操作部の上に配置されていればよく、アクチュエータ軸によって駆動力を伝達する回転式アクチュエータ本体は、ケーシングの上方からずらして配置することができるため、ロッドと回転アームを操作部の上方に干渉しないように配置することができるのである。そのため、回転式アクチュエータの回転アームの上下駆動を確実に操作部に伝達できる。したがって、幼児や無理な姿勢が取れない高齢者に対して、容易に小さな力で操作部を操作することができ、安定した排水動作を実現することができる。
【００１１】
本発明の請求項２では、前記回転式アクチュエータは、モータと、そのモータの回転を減速させてアクチュエータ軸に伝達する減速ギヤとを備えていることを特徴とする請求項１に記載のロータンク排水弁とした。
【００１２】
本発明においては、減速ギヤを用いることによって、高トルクで操作部を操作することができる。そのため、回転式アクチュエータを駆動するモータが小型のものを使えるため、補助操作装置自体をコンパクトにすることができる。
特に、従来の電磁弁を用いていた場合では、ヘッドが掛かった排水弁を開状態にするために、直接電磁弁の駆動力を排水弁に伝達しているため、電磁弁自体を大きくして駆動力を確保する必要があったが、本発明のように回転アームと減速ギアを備えたモータを用いることにより、高トルクで操作できるのである。
【００２４】
【発明の実施の形態】
以下に本発明の実施の形態について説明する。
本発明のロータンク排水弁は、上端に洗浄用の操作部を設け、下端を排水筒に連通させたケーシングと、前記ケーシング内にあって前記排水筒に備えた弁座に着座する弁体と、前記弁体の上方にフロートとを備え、かつ上下方向に駆動して開弁閉弁動作を実現するインナースリーブを備えている。
そして、このケーシング上方には、少なくとも、アクチュエータ軸と、前記アクチュエータ軸に軸着された回転アームと、前記回転アームが正逆回転自在に動くように配置された回転式アクチュエータと、からなる補助操作装置を備えている。
さらに、この回転式アクチュエータを操作する補助操作部を設けて、補助操作部を操作して補助操作装置の回転式アクチュエータを駆動させてその駆動力を伝達して回転アームを回動したとき、前記回動した回転アームによって操作部を操作して、操作部に連接するインナースリーブが上方向に駆動するため開弁動作を実現しているのである。
【００２５】
また、回転式アクチュエータは、モータと、そのモータの回転を減速させてアクチュエータ軸に伝達する減速ギヤとを備えることが好ましい。
また、回転アームがＶ字形状とするとよい。
【００２６】
また、回転式アクチュエータにモータを一体的に設けずに、回転式アクチュエータと補助操作部との間に、超弾性機能を持つワイヤを介在させて、このワイヤを介して駆動力を伝達してもよい。
【００２７】
以下により具体的に本発明の実施の形態を図に基づき説明する。
本発明では、補助操作部を操作してケーシング本体の上部に配置された回転式アクチュエータを駆動させてその駆動力を伝達して回転アームを回動したとき、前記回転アームの先端が操作部を押し下げる。
【００２８】
すると操作部に連接されている駆動リンクが回転し、ロータンク排水弁内のインナースリーブを上昇させることによって弁体を弁座から離して開弁させた時、便器内へ排水が開始されるとともに、タンク内の水位が下がり、ボールタップよりタンク内への給水が開始される。
【００２９】
水位がタンクの下方まで下がり、便器内への排水が完了すると、フロート浮力により浮いていたインナースリーブが下降して弁座に着座することにより、再びタンク内に水が満たされはじめ、さらに水位が満水位置に近づくと、ボールタップ内の弁が閉じて給水が止まる。
【００３０】
このように、従来のロータンク排水弁においても、本発明の回転式アクチュエータを後付けにて装着することで、簡単に遠隔操作が可能となり、任意の位置に操作部を配置することができるため、今後の高齢化社会の到来に向けて、ロータンク排水弁の操作部のバリアフリー化を実現できる。またアクチュエータは従来の押しボタン補助操作部から伸びるロッドと干渉しないように、簡単に取り付けることができ、しかも洗浄水タンク内にコンパクトに収まるため、従来の遠隔操作式のロータンク排水弁を洗浄水タンクに組付ける作業に較べて、組み付け作業効率を向上させることができる。
【００３１】
図１は、本発明のデュアル・フラッシュバルブ方式のロータンク排水弁１とボールタップ２０を洗浄水タンク３０に備えた例を示す図である。
【００３２】
図１に示すように、洗浄水タンク３０のタンク蓋１０１とタンク底１０２との間にロータンク排水弁１が組み込まれている。このロータンク排水弁１はタンク蓋１０１に組み込んだ補助操作部２とケーシング３とケーシング上部に取り付けた回転式アクチュエータ２００から構成されたものである。
【００３３】
補助操作部２は押しボタンハウジング２ａの内部に隔壁２ｂを挟んで配置した大洗浄用ボタン２ｃと小洗浄用ボタン２ｄとを備えたもので、大洗浄用ボタン２ｃ及び小洗浄用ボタン２ｄのそれぞれにロッド２ｅ，２ｆを連結している。なお、大洗浄用ボタン２ｃと小洗浄用ボタン２ｄとの間には隔壁２ｂが位置し、この隔壁２ｂによってこれらのボタン２ｃ，２ｄとの間が遮断される。
【００３４】
ケーシング３はその下端側に隔壁３ａを形成するとともに下端に排水筒４を備えたもので、この排水筒４を洗浄水タンクのタンク底１０２に開けたタンク底開口１０２ａに差し込んでいる。排水筒４からの洗浄水は便器本体（図示せず）に供給される。なお、図２の正面図に示すように、ケーシング３の周壁には洗浄水タンク３０内に連通する開口３ｂを開けておき、この開口３ｂからケーシング３内に水が流入する構成とする。
ケーシング３の上端にはロッド２ｅ，２ｆに対向する位置に操作部５ａ，５ｂを備える。これらの操作部５ａ，５ｂは圧縮のスプリング５ｃ，５ｄによってロッド２ｅ，２ｆ側に付勢されたものである。
【００３５】
また、回転式アクチュエータ２００はケーシング３の上部に配置され、回転式アクチュエータ軸２００ａには回転アーム２００ｂがロッド２ｅ、２ｆと干渉しないように配置、締結されており、回転式アクチュエータ軸を中心として左（反時計回り）または右方向（時計回り）へ回転すると、回転アーム先端２００ｃ、２００ｄは,それぞれ操作部５ａ，５ｂを押し下げることになる。
【００３６】
図２は、図１に示したロータンク排水弁１を正面から見た図である。
【００３７】
図３は、図２に示したロータンク排水弁１のケーシング３の上部を取り外し、正面から見た内部の機構図である。
図３に示すように、ケーシング３の内部には支軸６が固定され、この支軸６周りに一対の駆動リンク７，８が回転自在に保持されている。そして、駆動リンク７，８にはそれぞれ操作アーム９，１０が連接されている。
操作アーム９の下端にはインナースリーブ１１を連接するとともに、操作アーム１０の下端にはアウタースリーブ１２を連接する。インナースリーブ１１は下端に弁体としてのパッキン１１ｃを備え更にこのパッキン１１ｃの上方にフロート１１ｄを形成したものである。アウタースリーブ１２は水を溜めておくことができる桶状のウェイター１２ａを高さ位置調整可能に備えるとともに、上端側にカム１３を上下方向に回動自在に備えている。
カム１３はその上端側にリンクロッド１３ａを一体に形成するとともにこのリンクロッド１３ａの基端に設けた枢軸１３ｂによってアウタースリーブ１２に連接されたものである。そして、リンクロッド１３ａの先端部分はピン１３ｃを介して操作アーム９に当接されている。そして、操作アーム１３の上昇によってピン１３ｃが操作アーム９に沿って当接して移動するときカム１３は枢軸１３ｂ周りに時計方向に回動可能としている。そして、静止位置にあるときには、アウタースリーブ１２の下端が隔壁３ａに着座しているような部材の位置関係としている。
【００３８】
また、図４は、ロータンク排水弁１のアイソメトリック図である。
【００３９】
図５は、図１に示したロータンク排水弁１を正面向かって右側か見た図である。図より、回転式アクチュエータの回転アーム２００ｂがロッド２ｅ、２ｆと干渉しないように配置されていることがわかる。
【００４０】
図６は、図１に示したロータンク排水弁１のケーシング蓋３ｃに回転式アクチュエータ２００が配置されている。
図６より、回転式アクチュエータ２００は、ケーシング蓋３ｂに当着固定され回転式アクチュエータ軸２００ａを軸着させるための貫通孔を持った回転式アクチュエータ台座２００ｅと、回転式アクチュエータ台座２００ｅと軸着し片方の端部には直接モータまたはワイヤを継合し、また他の片方には回転アーム２００ｂを装着固定した回転式アクチュエータ軸２００ａと、弓状の形状で両端に操作部５ａ，５ｂをそれぞれ下方に押し下げるための回転式アクチュエータ先端２００ｃ、２００ｄを持つ回転アーム２００ｂとで構成されている。
【００４１】
図７は、図６の回転式アクチュエータ２００において、回転アーム２００ｂを上下反転して軸着しており、操作部５ａ，５ｂを押し上げることで、開弁動作ができることを示している。
図より、ロッド２ｅ，２ｆは、それぞれ操作部５ａ，５ｂに結合、または一体化されている。また駆動リンク（図示せず）は取り除かれて、直接操作部とインナースリーブが連結している（図示せず）ため、補助操作部からロッドを押し上げる操作で開弁することができる。
この構造では、操作部の押し下げ動作をインナースリーブの押し上げ動作に変換する駆動リンクを省略できるため、ロータンク排水弁の高さをさらに低くすることができる。
【００４２】
図８は、図６に示した回転式アクチュエータ２００に直接モータ４０を取り付けた図である。またこれがモータ４０および操作部５ａ、５ｂの原点の位置である。コンパクトにモータが組み付けられていることがわかる。
【００４３】
図９は、大洗浄時の回転式アクチュエータ動作を示したもので、モータが正面図に向かって右回転（時計回り）して、回転アーム２００ｂの回転アーム先端２００ｃが操作部５ａを押し込んでいる図である。
大洗浄の場合には、モータ駆動コントローラ５１から大洗浄を実行する指令がモータ４０に与えられると、図８のように、モータは正面に向かって右回転（時計回り）を始め、モータ軸に締結された回転式アクチュエータ軸２００ａも同時に右回転（時計回り）する。すると回転式アクチュエータ軸２００ａに挿着され嵌合された回転アーム２００ｂが同様に右回転（時計回り）して、回転式アクチュエータ先端２００ｃが操作部５ａをケーシングボタン蓋３ｃに当接するまで押し込み、その操作部５ａの最下点押し位置に操作部５ａを０.５から１秒ほど保持して、再び逆方向（反時計回り）に回転して図７の原点位置まで戻って静止する。操作部５ａはスプリング５ｃで付勢してあるため、回転式アクチュエータ先端２００ｃに当接しながら原点位置に戻る。
【００４４】
図１０は、小洗浄時の回転式アクチュエータで、モータが正面図に向かって左回転（反時計回り）して,回転アーム先端２００ｄが操作部５ｂを押し込んでいる図である。
同様に小洗浄の場合には、モータ駆動コントローラ５１から小洗浄を実行する指令がモータ４０に与えられると、図９のように、モータは正面に向かって左回転（反時計回り）を始め、モータ軸に締結された回転式アクチュエータ軸２００ａも同時に左回転（反時計回り）する。すると回転式アクチュエータ軸２００ａに挿着され嵌合された回転アーム２００ｂが同様に左回転（反時計回り）して、回転式アクチュエータ先端２００ｄが操作部５ｂをケーシング蓋３ｃに当接するまで押し込み、その操作部５ｂの最下点押し位置に操作部５ｂを０.５から１秒ほど保持して、再び逆方向（時計回り）に回転して図７の原点位置まで戻って静止する。操作部５ｂはスプリング５ｄで付勢してあるため、回転式アクチュエータ先端２００ｄに当接しながら原点位置に戻る。
【００４５】
図１１は、減速ギアを備えたモータを内部に装填した防水ケース７３に防水ケース蓋７４を装着し、回転アーム２００ｂを軸着し、抜き防止ピン７５で回転アーム２００ｂを固定した図である。防水ケース７３と防水ケース蓋７４はシール剤で防水されており、またモータ軸と防水ケース間はＯリングにてシールされている。
【００４６】
図１２は、図１１の固定部である防水ケース７３と回転部である回転アーム２００ｂの外周部にベローズ形状の弾性体７７を掛け渡して、弾性端の両端をそれぞれの部分に定着することで、回転接触部７９を完全に防水している。また、仮にベローズ形状弾性体が破損して浸水が発生しても、モータ軸７２と防水ケース７３の間にＯリング７６を装填して二重の防水シール構造となっているために、モータへの浸水を完全に防ぐことができる。
【００４７】
図１３は、図１１の固定部である防水ケース７３と回転部である回転アーム２００ｂの外周部にリング形状の弾性体７８が固定端と回転端を跨いで伸びた状態で掛け渡されており、弾性体の縮む機能を利用して外周部にリング形状弾性体を押し付けるようにシールしている。
回転アーム２００ｂは少なくとも９０度以内の範囲で正逆回転するため、回転アーム２００ｂと弾性体との接触部分は摺動しており、このため多少の水の浸入は発生するが、モータ軸７２と防水ケース７３の間にＯリング７６を装填して二重の防水シール構造となっているために、モータへの浸水を簡易的であるが防ぐことができる。
【００４８】
図１４は、ロータンク排水弁の断面図である。
図１５は、モータが「大洗浄」駆動指令を受けて、向かって右回転方向（時計回り）に回転駆動し始めた時の断面図である。
図９のように回転式アクチュエータ先端２００ｃを介して操作部５ａが押し下げられると、図１５のように駆動リンク７を支軸６周りに時計回り方向に回動させる。この駆動リンク７の回動によって操作アーム９が上に持ち上げられ、操作アーム９がインナースリーブ上部リング１１ｅの上端がインナースリーブ１１の突起１１ａに接触し、インナースリーブ１１を上に引き上げる。そして、このインナースリーブ１１の上昇により、パッキン１１ｃが排水筒４の上端の弁座４ａから離れることにより開弁する。（図１５、図１６、１７参照）
このとき、洗浄用タンク３０に貯水されていた洗浄水が排水筒４を通して、便器本体（図示せず）に流出し便器内の汚物を洗い流す。
【００４９】
一方、洗浄用タンク３０内の水位が下がり始めると、ボールタップ２０のボールタップフロート（図示せず）が水面に沿って下降し始めるため、ボールタップ２０の止水弁（図示せず）が開いてボールタップ吐水口２０ｃから洗浄用タンク３０内に給水を始める。
【００５０】
便器大洗浄のための排水が完了に近づくと、洗浄用タンク内の水面がロータンク排水弁のフロート１１ｄの付近まで接近する。その時、インナースリーブ１１の自重がフロート１１ｄの浮力より大きくなり、インナースリーブ１１は下降してパッキン１１ｃが弁座４ａに着座し排水が停止する。（図１４参照）
この時、洗浄用タンク３０内の水面が上昇を開始する。
洗浄用タンク３０内の水位が上昇し続けて満水時ＷＬ（ウォーターライン）の位置に近接すると、ボールタップ２０のボールタップフロート（図示せず）も水位に沿って上昇し、ボールタップフロートに接合されたボールタップ２０内部の止水弁（図示せず）を閉めて給水が止まり大洗浄サイクルは完了する。
【００５１】
次に、小洗浄の場合には図１０のように回転式アクチュエータ２００が正面向かって左回転（反時計回り）し回転アーム先端２００ｄが操作部５ｂを押しさげるため、以下同様に（動作説明は省略）パッキン１１ｃが排水筒４の上端の弁座４ａから離れてから開弁する。（図１９，２０参照）
このとき、洗浄用タンク３０に貯水されていた水が同様に排水筒４を通して、便器本体（図示せず）に流出し便器内の汚物を洗い流す。
【００５２】
一方、洗浄用タンク３０内の水位が下がり始めると、ボールタップ２０のボールタップフロート（図示せず）が水面に沿って下降し始めるため、ボールタップ２０の止水弁（図示せず）が開いて、ボールタップ吐水口２０ｃから洗浄用タンク３０内に給水を始める。（図２１参照）
【００５３】
便器小洗浄のための排水が完了に近づくと、洗浄用タンク３０内の水面がロータンク排水弁１のウェイター１２ａの付近まで接近する。その時、インナースリーブ１１とアウタースリーブ１２とさらにウェイター１２ａに溜められた水の重さを加えた自重がフロート１１ｄの浮力より大きくなり、インナースリーブ１１は下降してパッキン１１ｃが弁座４ａに着座し排水が停止するため、洗浄用タンク３０内の水面が上昇を開始する。（図２２、２３参照）
洗浄用タンク３０内の水位が上昇し続けて満水時ＷＬ（ウォーターライン）に近接すると、ボールタップ２０のボールタップフロート（図示せず）も水位に沿って上昇し、ボールタップフロート（図示せず）に接合されたボールタップ２０内部の止水弁（図示せず）を閉めて給水が止まり小洗浄サイクルは完了する。
（図１４参照）
【００５４】
なお、上述したインナースリーブ１１は、上下端部が開口された筒形状となっており、タンク内の貯水の水位がこのインナースリーブ１１よりも高くなると、このインナースリーブ１１を介して、便器内に排水するオーバーフロー機構を備えた構造となっている。
【００５５】
図２４は、回転式アクチュエータ２００にワイヤ６０を継合し、もう片方のワイヤの端部にモータ４０を継合している。
この場合、ワイヤ６０には超弾性機能材料を使用している。よってワイヤ６０を大きく曲げても、トルク伝達性が優れているために、モータ４０を自在に配置することができる。これより洗浄用タンク３０の外にモータ４０を配置することで、モータ４０がほとんど水の影響を受けなくなるため、モータ防水機能を省略したり、または簡略化できる。
【００５６】
また図２５は、図２４のモータ４０の替わりに回転式操作レバー４１を、もう片方のワイヤ６０の端部に継合した図である。ワイヤ６０で継合しているため、回転式操作レバー４１を自在の位置に配置できる。
【００５７】
図２６は、同様に図２０のモータ４０の代りに押しボタン式操作スイッチ４２を、もう片方のワイヤ６０の端部に継合した図である。ワイヤ６０で継合しているため、押しボタン式操作スイッチ４２を自在の位置に配置できる。
【００５８】
図２７は、押しボタン式操作スイッチ４２を分解した図で、押しボタンケース４２ａと回転ディスク４２ｂと大・小洗浄用にそれぞれ押しボタンスイッチ４２ｃ、４２ｄから構成されている。
【００５９】
図２８は、図２７に示した押しボタン式操作スイッチ４２の押しボタンケース４２ａを取り外し、斜めから見た内部の機構図である。図に示すように、回転ディスク４２ｂには、ワイヤを継合するための回転ディスク・フット４２ｇと回転ディスク・アーム４２ｅ、４２ｆが突設してあり、回転ディスク・アーム４２ｅ，４２ｆは、それぞれが押しボタンスイッチ４２ｃ、４２ｄの斜めにカットされた底面に当接されている。
【００６０】
図２９は、押しボタンスイッチ４２ｄを押すと、回転ディスク・アーム４２ｆは押しボタンスイッチ４２ｄの底面に当接しているため、回転ディスク４２ｂが図２９の矢印方向に回転する。この回転動作は、回転ディスク・フット４２ｇに継接されたワイヤ６０を通じて、もう片方のワイヤの端部に継合された回転式アクチュエータ２００に伝達され、以下ロータンク排水弁の排水サイクルが開始される。
【００６１】
図３０は、足踏み式操作ユニット４３の全体図である。
図より足踏み式操作ユニット４３は、床に当接する平坦な底部を持ち、片方の端部には左・右の足踏みペダル４３ｂ，４３ｃを蝶着するための台座ビンジ取付け部４３ｍを持ち、もう片方の端部には回転ディスク４３ｈを軸着するための貫通孔が開いた回転ディスク保持台座４３ｎを持ち、また上面にはスプリングを嵌入するためのスプリング固定突起４３ｓを持った足踏み式操作ユニット台座４３ａと、片方の端部には足踏み式操作ユニット台座４３ａと蝶着するためのペダルヒンジ取付け部４３ｐを持ちもう片方の端部の下方全辺に先端が丸くなった突設部４３ｑを持った左・右の足踏みペダル４３ｂ，４３ｃと、ワイヤを継合するための回転ディスク・フット４３ｇと回転ディスク・アーム４３ｅ、４３ｆが突設された回転ディスク４３ｈと、回転ディスク４３ｈを足付み式操作ユニット台座４３ａに軸着し結合するための結合リング４３ｋと、左・右足踏みペダルを跳ね上げ保持するように付勢するための圧縮のスプリング４３ｄから構成されている。
【００６２】
図３１は、図３０に示した足踏みペダル４３ｂを押すと、回転ディスク・アーム４３ｅは足踏みペダル４３ｂの突設部４３ｑに当接されて、図２７の矢印方向に回転する。この回転動作は、回転ディスク・フット４３ｇに継接されたワイヤ６０を通じて、もう片方のワイヤの端部に継合された回転式アクチュエータ２００に伝達され、以下ロータンク排水弁の排水サイクルが開始される。
【００６３】
図３２は、ロータンク排水弁を洗浄用タンクに組み付けて、洗浄用タンクの前側をカットして、操作操作部５０とモータ駆動コントローラ５１を装着した全体を現したアイソメトリック図である。
なお、上述したロータンク排水弁は、大洗浄と小洗浄の操作部を設けているが、大洗浄のみの操作部だけとしてもよい。
【図面の簡単な説明】
【図１】本発明のデュアル・フラッシュバルブ方式のロータンク排水弁とボールタップを洗浄水タンクに備えた例を示す要部の平面図である。
【図２】ロータンク排水弁を正面から見た正面図である。
【図３】ロータンク排水弁のケーシングの上部を取り外し、正面から見た内部の機構図である。
【図４】ロータンク排水弁のアイソメトリック図である。
【図５】ロータンク排水弁の右側面図である。
【図６】ケーシング蓋に装着された回転式アクチュエータのアイソメトリック図である。
【図７】回転式アクチュエータに直接モータを装着したアイソメトリック図である。
【図８】回転アームを上下反転させて回転式アクチュエータに軸着した図で、操作部を押し上げることで、開弁動作ができることを示している。
【図９】回転式アクチュエータが大洗浄指令を受けて、右回転（時計回り）し、最大右回転角度で静止した図である。
【図１０】回転式アクチュエータが小洗浄指令を受けて、左回転（反時計回り）し、最大左回転角度で静止した図である。
【図１１】減速ギア付モータを防水ケースに装着し、回転アーム２００ｂを軸着した図である。
【図１２】ベローズ形状弾性体を図１１に装着した断面図である。
【図１３】リング形状弾性体を図１１に装着した断面図である。
【図１４】ロータンク排水弁の静止状態を示す図である。
【図１５】大洗浄時のロータンク排水弁の作動状態を示す図である。
【図１６】大洗浄時のロータンク排水弁の作動状態を示す図である。
【図１７】大洗浄時のロータンク排水弁の作動状態を示す図である。
【図１８】大洗浄時のロータンク排水弁の作動状態を示す図である。
【図１９】小洗浄時のロータンク排水弁の作動状態を示す図である。
【図２０】小洗浄時のロータンク排水弁の作動状態を示す図である。
【図２１】小洗浄時のロータンク排水弁の作動状態を示す図である。
【図２２】小洗浄時のロータンク排水弁の作動状態を示す図である。
【図２３】小洗浄時のロータンク排水弁の作動状態を示す図である。
【図２４】回転式アクチュエータに継合されたワイヤの他方端部にモータを継合した図である。
【図２５】回転式アクチュエータに継合されたワイヤの他方端部に回転式操作レバーを継合した図である。
【図２６】回転式アクチュエータに継合されたワイヤの他方端部に押しボタン式操作スイッチを継合した図である。
【図２７】回転式アクチュエータに継合されたワイヤの他方端部に押しボタン式操作スイッチを継合した図である。
【図２８】押しボタン式操作スイッチの分解図である。
【図２９】押しボタン式操作スイッチのケース本体を取り外した内部構造図である。
【図３０】押しボタン式操作スイッチの作動状態を示す図である。
【図３１】足踏み式操作ユニットの全体を示す図である。
【図３２】足踏み式操作ユニットの作動状態を示す図である。
【符号の説明】
１  ロータンク排水弁
２  補助操作部
２ａ  押しボタンハウジング
２ｂ  隔壁
２ｃ  大洗浄用ボタン
２ｄ  小洗浄用ボタン
２ｅ，２ｆ  ロッド
３  ケーシング
３ａ  隔壁
３ｂ  開口
３ｃ  ケーシング蓋
４  排水筒
４ａ  弁座
５ａ、５ｂ  操作部
５ｃ、５ｄ  スプリング
６  支軸
７、８  駆動リンク
９、１０  操作アーム
１１  インナースリーブ
１１ａ  突起
１１ｂ  係合突起
１１ｃ  パッキン
１１ｄ  フロート
１１ｅ  インナースリーブ上部リング
１２  アウタースリーブ
１２ａ  ウェイター
１３  カム
１３ａ  リングロッド
１３ｂ  枢軸
１３ｃ  ピン
２０  ボールタップ
２０ａ  ボールタップ吐水口
３０  洗浄水タンク
４０  モータ
４１  回転式操作レバー
４２  押しボタン式操作スイッチ
４２ａ  押しボタンケース
４２ｂ  回転ディスク
４２ｃ、４２ｄ  押しボタンスイッチ
４２ｅ、４２ｆ  回転ディスク・アーム
４２ｇ  回転ディスク・フット
４３  足踏み式操作ユニット
４３ａ  足踏み式操作ユニット台座
４３ｂ、４３ｃ  足踏みペダル
４３ｄ  スプリング
４３ｅ、４３ｆ  回転ディスク・アーム
４３ｇ  回転ディスク・フット
４３ｈ  回転ディスク
４３ｋ  結合リング
４３ｍ  台座ヒンジ取付け部
４３ｎ  回転ディスク保持台座
４３ｐ  ペダルヒンジ取付け部
４３ｑ  突設部
４３ｓ  スプリング固定突起
５０  リモコン操作部
５１  モータ駆動コントローラ
６０  ワイヤ
７０  モータ
７１  減速ギア部
７２  モータ軸
７３  防水ケース
７４  防水ケース蓋
７５  抜き防止ピン
７６  Ｏリング
７７  ベローズ形状弾性体
７８  リング形状弾性体
７９  回転接触部
１０１  タンク蓋
１０２  タンク底
１０２ａ  タンク底開口
２００  回転式アクチュエータ
２００ａ  回転式アクチュエータ軸
２００ｂ  回転アーム
２００ｃ、２００ｄ  回転アーム先端
２００ｅ  回転式アクチュエータ台座
【図１】
0004122830.tif 000002
【図２】
0004122830.tif 000003
【図３】
0004122830.tif 000004
【図４】
0004122830.tif 000005
【図５】
0004122830.tif 000006
【図６】
0004122830.tif 000007
【図７】
0004122830.tif 000008
【図８】
0004122830.tif 000009
【図９】
0004122830.tif 000010
【図１０】
0004122830.tif 000011
【図１１】
0004122830.tif 000012
【図１２】
0004122830.tif 000013
【図１３】
0004122830.tif 000014
【図１４】
0004122830.tif 000015
【図１５】
0004122830.tif 000016
【図１６】
0004122830.tif 000017
【図１７】
0004122830.tif 000018
【図１８】
0004122830.tif 000019
【図１９】
0004122830.tif 000020
【図２０】
0004122830.tif 000021
【図２１】
0004122830.tif 000022
【図２２】
0004122830.tif 000023
【図２３】
0004122830.tif 000024
【図２４】
0004122830.tif 000025
【図２５】
0004122830.tif 000026
【図２６】
0004122830.tif 000027
【図２７】
0004122830.tif 000028
【図２８】
0004122830.tif 000029
【図２９】
0004122830.tif 000030
【図３０】
0004122830.tif 000031
【図３１】
0004122830.tif 000032
【図３２】
0004122830.tif 000033